(57)【要約】【課題】充電対象となる蓄電手段の蓄電量に応じて電力伝送の停止を行うとともに、１次側装置と２次側装置間の時刻同期を効率的に行うことが可能な充電システムを提供する。【解決手段】充電装置が発生する交流電磁界により生じる誘導起電力を充電電力として充電対象となる蓄電手段に供給するとともに、当該交流電磁界に重畳された時刻データを復元し、この時刻データに基づいて計時手段が計時する時刻を修正し、また、蓄電手段の蓄電量が所定量を上回った場合に、蓄電手段に供給される充電電力を停止する。【選択図】        図１
2009022102.tif 000002
【特許請求の範囲】
【請求項１】
携帯機器と、この携帯機器に充電を行う充電装置と、を有した充電システムであって、
前記充電装置は、
高周波電流を発生する発振手段と、
前記高周波電流の入力により交流電磁界を発生する１次アンテナと、
時刻の計時を行う第１計時手段と、
前記時刻を表す時刻データを前記交流電磁界に重畳する第１変調手段と、
を備え、
前記携帯機器は、
充電対象となる蓄電手段と、
前記蓄電手段から供給される電力により駆動し、時刻の計時を行う第２計時手段と、
前記１次アンテナに発生した交流電磁界を検出する２次アンテナと、
前記２次アンテナに発生した交流の誘導起電力を直流の充電電力に変換する電力変換手段と、
前記充電電力を前記蓄電手段に供給する電力供給手段と、
前記交流電磁界に重畳された時刻データを復元する第１復元手段と、
前記復元された時刻データに基づいて、前記第２計時手段が計時する時刻を修正する時刻修正手段と、
前記電力供給手段から蓄電手段に供給される充電電力のオン／オフを制御するスイッチ手段と、
前記蓄電手段の蓄電量を検出し、当該蓄電量が所定量を上回ったと判定した場合に、前記スイッチ手段をオフ状態に切り替える充電状態検出手段と、
を備えたことを特徴とする充電システム。
【請求項２】
前記携帯機器は、
前記充電状態検出手段により前記蓄電量が所定量を上回ったと判定された場合に、前記充電満了信号を前記２次アンテナが発生する交流電磁界に重畳する第２変調手段と、
を更に備え、
前記充電装置は、
前記１次アンテナが検出する交流電磁界に重畳された充電満了信号を復元する第２復元手段と、
前記復元された充電満了信号をトリガとして、前記発振手段の駆動を停止又は駆動量を低下させる駆動量制御手段と、
を更に備えたことを特徴とする請求項１に記載の充電システム。
【請求項３】
前記充電装置は、
前記第２復元手段により前記充電満了信号が復元された場合に、充電が完了した旨の情報を通知する通知手段を更に備えたことを特徴とする請求項２に記載の充電システム。
【請求項４】
前記携帯機器は、
自己の携帯機器に固有の識別情報を記憶する第１記憶手段と、
前記第１記憶手段に記憶された識別情報を前記２次アンテナが発生する交流電磁界に重畳する第３変調手段と、
を更に備え、
前記充電装置は、
前記識別情報との照合用となる照合用識別情報を記憶する第２記憶手段と、
前記第１アンテナが検出する交流電磁界に重畳された識別情報を復元する第２復元手段と、
前記復元された識別情報と、前記第２記憶手段に記憶された照合用識別情報と、を照合する照合手段と、
前記照合手段により両識別情報が一致したと判定された場合に、前記発振手段の駆動量を増加させるとともに、前記時刻データの交流電磁界への重畳を前記第１変調手段に行わせる伝送制御手段と、
を更に備えたことを特徴とする請求項１〜３の何れか一項に記載の充電システム。
【請求項５】
前記充電装置は、
前記携帯機器が当該充電装置の上面に配置されたことを検出する機器検出手段と、
前記機器検出手段により前記携帯機器の配置が検出されない場合に、前記発振手段の駆動を停止し、前記機器検出手段により前記携帯機器の配置が検出された場合に、前記発振手段の駆動を開始する駆動制御手段と、
を更に備えたことを特徴とする請求項１〜４の何れか一項に記載の充電システム。
【請求項６】
前記機器検出手段は、押圧により前記携帯機器の配置を検出する機械式スイッチであることを特徴とする請求項５に記載の充電システム。
【請求項７】
前記機器検出手段は、前記携帯機器により遮光される光量の変化により当該携帯機器の配置を検出する光センサであることを特徴とする請求項５に記載の充電システム。
【請求項８】
前記機器検出手段は、前記携帯機器との接触を検出することで当該携帯機器の配置を検出するタッチセンサであることを特徴とする請求項５に記載の充電システム。
【請求項９】
前記機器検出手段は、前記携帯機器の近接により生じる共振周波数の変化により、当該携帯機器の配置を検出するセンシングコイルであることを特徴とする請求項５に記載の充電システム。
【請求項１０】
前記充電装置は、
外部装置から時刻データを取得する外部接続手段と、
前記取得された時刻データに基づいて、前記第１計時手段が計時する時刻を修正する第２時刻修正手段と、
を備えたことを特徴とする請求項１〜９の何れか一項に記載の充電システム。
【請求項１１】
前記外部接続手段は、前記外部装置としてパソコン内部の計時手段から時刻データを取得することを特徴とする請求項１０に記載の充電システム。
【請求項１２】
前記外部接続手段は、前記外部装置としてネットワーク上に接続された標準時刻サーバから時刻データを取得することを特徴とする請求項１０に記載の充電システム。
【請求項１３】
前記外部接続手段は、公衆電話回線網を介し前記外部装置としてネットワーク上に接続された標準時刻サーバから時刻データを取得することを特徴とする請求項１０に記載の充電システム。
【請求項１４】
前記充電装置は、
電波時計用電波を受信する電波時計手段と、
前記電波時計手段により受信された電波時計用電波を時刻データとし、当該時刻データに基づいて、前記第１計時手段が計時する時刻を修正する第３時刻修正手段と、
を備えたことを特徴とする請求項１〜９の何れか一項に記載の充電システム。
【発明の詳細な説明】
【技術分野】
【０００１】
本発明は、携帯機器の充電を非接触電力伝送により行う充電システムに関する。
【背景技術】
【０００２】
従来、電磁誘導現象を利用した非接触方式の電力伝送装置が用いられており、この電力伝送装置にかかる種々の技術が提案されている。例えば、１次側装置から２次側装置への電力伝送及び１次側装置と２次側装置との間の通信（情報の伝送）を、１つの電力伝送用トランスを用いて非接触で行うことが可能な技術が提案されている（例えば、特許文献１参照）。また、１次側コイルと電磁的に結合するものが２次側コイル以外の金属等の異物であるか否かの判断、又は、電力伝送の相手先が適正であるか否かの確認を行う技術が提案されている（例えば、特許文献２参照）。また、標準電波（時刻データ）を受信するためのアンテナを電力伝送用のアンテナとして共用し、何れか一方の用途に切り替えて使用する技術が提案されている（例えば、特許文献３参照）。
【０００３】
【特許文献１】特開２００１−２７５２６６号公報
【特許文献２】特開２００６−６０９０９号公報
【特許文献３】特開２００６−１１８９２５号公報
【発明の開示】
【発明が解決しようとする課題】
【０００４】
ところで、コンデンサ若しくは２次電池等の蓄電手段を搭載する２次側機器においては、過充電等の蓄電手段にかかる負荷や電力消費を抑えるため、充電満了時には蓄電手段の充電を停止することが望まれている。また、１次側装置と２次側装置との電磁的な結合時において、２次側装置の認証用の情報のみでなく、時刻データの授受を行うことで、１次側装置−２次側装置間の時刻同期を図ることが望まれている。
【０００５】
しかしながら、特許文献１〜３に記載の技術では、上記した充電満了時の制御については何等記載されておらず、充電満了時においても蓄電手段に電力が供給され続けることになるため、蓄電手段にかかる負荷が問題となる。
【０００６】
また、特許文献１、２に記載の技術では、１次側装置と２次側装置との時刻同期については何等記載されておらず、１次側装置−２次側装置間の時刻を同期することはできない。特許文献３に記載の技術においても、時刻情報は１次側装置以外の外部装置から取得する態様となっているため、１次側装置−２次側装置間の時刻を同期することはできない。また、電力伝送と時刻情報の受信とを、スイッチにより切り替えて処理しているため非効率的であり、回路構成が煩雑になるという問題がある。
【０００７】
本発明は上記に鑑みてなされたものであって、充電対象となる蓄電手段の蓄電量に応じて電力伝送の停止を行うとともに、１次側装置と２次側装置間の時刻同期を効率的に行うことが可能な充電システムを提供することである。
【課題を解決するための手段】
【０００８】
上述した課題を解決し、目的を達成するために、請求項１に記載の発明は、携帯機器と、この携帯機器に充電を行う充電装置と、を有した充電システムであって、前記充電装置は、高周波電流を発生する発振手段と、前記高周波電流の入力により交流電磁界を発生する１次アンテナと、時刻の計時を行う第１計時手段と、前記時刻を表す時刻データを前記交流電磁界に重畳する第１変調手段と、を備え、前記携帯機器は、充電対象となる蓄電手段と、前記蓄電手段から供給される電力により駆動し、時刻の計時を行う第２計時手段と、前記１次アンテナに発生した交流電磁界を検出する２次アンテナと、前記２次アンテナに発生した交流の誘導起電力を直流の充電電力に変換する電力変換手段と、前記充電電力を前記蓄電手段に供給する電力供給手段と、前記交流電磁界に重畳された時刻データを復元する第１復元手段と、前記復元された時刻データに基づいて、前記第２計時手段が計時する時刻を修正する時刻修正手段と、前記電力供給手段から蓄電手段に供給される充電電力のオン／オフを制御するスイッチ手段と、前記蓄電手段の蓄電量を検出し、当該蓄電量が所定量を上回ったと判定した場合に、前記スイッチ手段をオフ状態に切り替える充電状態検出手段と、を備えたことを特徴とする。
【０００９】
また、請求項２に記載の発明は、請求項１に記載の発明において、前記携帯機器は、前記充電状態検出手段により前記蓄電量が所定量を上回ったと判定された場合に、前記充電満了信号を前記２次アンテナが発生する交流電磁界に重畳する第２変調手段と、を更に備え、前記充電装置は、前記１次アンテナが検出する交流電磁界に重畳された充電満了信号を復元する第２復元手段と、前記復元された充電満了信号をトリガとして、前記発振手段の駆動を停止又は駆動量を低下させる駆動量制御手段と、を更に備えたことを特徴とする。
【００１０】
また、請求項３に記載の発明は、請求項２に記載の発明において、前記充電装置は、前記第２復元手段により前記充電満了信号が復元された場合に、充電が完了した旨の情報を通知する通知手段を更に備えたことを特徴とする。
【００１１】
また、請求項４に記載の発明は、請求項１〜３の何れか一項に記載の発明において、前記携帯機器は、自己の携帯機器に固有の識別情報を記憶する第１記憶手段と、前記第１記憶手段に記憶された識別情報を前記２次アンテナが発生する交流電磁界に重畳する第３変調手段と、を更に備え、前記充電装置は、前記識別情報との照合用となる照合用識別情報を記憶する第２記憶手段と、前記第１アンテナが検出する交流電磁界に重畳された識別情報を復元する第２復元手段と、前記復元された識別情報と、前記第２記憶手段に記憶された照合用識別情報と、を照合する照合手段と、前記照合手段により両識別情報が一致したと判定された場合に、前記発振手段の駆動量を増加させるとともに、前記時刻データの交流電磁界への重畳を前記第１変調手段に行わせる伝送制御手段と、を更に備えたことを特徴とする。
【００１２】
また、請求項５に記載の発明は、請求項１〜４の何れか一項に記載の発明において、前記充電装置は、前記携帯機器が当該充電装置の上面に配置されたことを検出する機器検出手段と、前記機器検出手段により前記携帯機器の配置が検出されない場合に、前記発振手段の駆動を停止し、前記機器検出手段により前記携帯機器の配置が検出された場合に、前記発振手段の駆動を開始する駆動制御手段と、を更に備えたことを特徴とする。
【００１３】
また、請求項６に記載の発明は、請求項５に記載の発明において、前記機器検出手段は、押圧により前記携帯機器の配置を検出する機械式スイッチであることを特徴とする。
【００１４】
また、請求項７に記載の発明は、請求項５に記載の発明において、前記機器検出手段は、前記携帯機器により遮光される光量の変化により当該携帯機器の配置を検出する光センサであることを特徴とする。
【００１５】
また、請求項８に記載の発明は、請求項５に記載の発明において、前記機器検出手段は、前記携帯機器との接触を検出することで当該携帯機器の配置を検出するタッチセンサであることを特徴とする。
【００１６】
また、請求項９に記載の発明は、請求項５に記載の発明において、前記機器検出手段は、前記携帯機器の近接により生じる共振周波数の変化により、当該携帯機器の配置を検出するセンシングコイルであることを特徴とする。
【００１７】
また、請求項１０に記載の発明は、請求項１〜９に記載の発明において、前記充電装置は、外部装置から時刻データを取得する外部接続手段と、前記取得された時刻データに基づいて、前記第１計時手段が計時する時刻を修正する第２時刻修正手段と、を備えたことを特徴とする。
【００１８】
また、請求項１１に記載の発明は、請求項１０に記載の発明において、前記外部接続手段は、前記外部装置としてパソコン内部の計時手段から時刻データを取得することを特徴とする。
【００１９】
また、請求項１２に記載の発明は、請求項１０に記載の発明において、前記外部接続手段は、前記外部装置としてネットワーク上に接続された標準時刻サーバから時刻データを取得することを特徴とする。
【００２０】
また、請求項１３に記載の発明は、請求項１０に記載の発明において、前記外部接続手段は、公衆電話回線網を介し前記外部装置としてネットワーク上に接続された標準時刻サーバから時刻データを取得することを特徴とする。
【００２１】
また、請求項１４に記載の発明は、請求項１〜９の何れか一項に記載の発明において、前記充電装置は、電波時計用電波を受信する電波時計手段と、前記電波時計手段により受信された電波時計用電波を時刻データとし、当該時刻データに基づいて、前記第１計時手段が計時する時刻を修正する第３時刻修正手段と、を備えたことを特徴とする。
【発明の効果】
【００２２】
請求項１に記載の発明によれば、充電装置が発生する交流電磁界により生じた誘導起電力を充電電力として蓄電手段に供給を行うとともに、当該交流電磁界に重畳された時刻データに基づいて携帯機器で計時される時刻を修正する。これにより、蓄電手段の充電と時刻データの伝送とを同時に行うことが可能であるため、１次側装置と２次側装置間の時刻同期を効率的に行うことができる。
【００２３】
また、蓄電手段の蓄電量が所定量を上回った場合、当該蓄電手段に供給される充電電力を停止する。これにより、蓄電手段の蓄電量に応じて電力伝送を停止することが可能であるため、過充電による劣化やトラブルを防止することができるとともに、蓄電手段にかかる負荷を低減させることができる。
【００２４】
また、請求項２に記載の発明によれば、蓄電手段の蓄電量が所定量を上回った場合に、発振手段の駆動を停止又は駆動量を低下させることで、不要な電力消費を抑えることが可能となり、充電装置を効率的に動作させることができる。
【００２５】
また、請求項３に記載の発明によれば、蓄電手段の蓄電量が所定量を上回った場合に、充電が完了した旨の情報を通知することができるため、ユーザの利便性を向上させることができる。
【００２６】
また、請求項４に記載の発明によれば、携帯機器の識別情報が照合用識別情報と一致した場合にのみ、充電電力の供給と時刻データの伝送とを行うことで、適正な携帯機器が配置された場合にのみ、充電電力の供給と時刻データの伝送とを行うことができるため、安全性を向上させることができる。
【００２７】
また、請求項５〜９に記載の発明によれば、充電装置の上面に携帯機器が配置されたタイミングで発振手段の駆動を開始するため、不要な電力消費を抑えることが可能となり、充電装置を効率的に動作させることができる。
【００２８】
また、請求項１０〜１３に記載の発明によれば、外部装置（パソコンやネットワーク、公衆電話回線網に接続された標準時刻サーバ）から時刻データを取得し、この時刻データに基づいて充電装置及び携帯機器の計時手段が計時する時刻を修正することができるため、より正確な時刻で１次側装置と２次側装置との間の時刻同期を効率的に行うことができる。
【００２９】
また、請求項１４に記載の発明によれば、電波時計用電波に基づいて充電装置及び携帯機器の計時手段が計時する時刻を修正することができるため、より正確な時刻で１次側装置と２次側装置との間の時刻同期を効率的に行うことができる。
【発明を実施するための最良の形態】
【００３０】
以下に添付図面を参照して、充電システムの最良な実施形態を詳細に説明する。
【００３１】
［第１の実施形態］
図１は、本実施形態に係る充電システム１の構成を示したブロック図である。図１に示したように、充電システム１は、１次側となる充電装置１０と、当該充電装置１０により充電される２次側となる携帯機器５０と、を備えている。
【００３２】
図１において、Ａ１は充電装置１０における携帯機器５０の設置面（機器配置面）を表しており、Ａ２は携帯機器５０のアンテナ面（機器裏面）を意味している。機器配置面Ａ１と機器裏面Ａ２との近接により、充電装置１０の１次アンテナ１３と携帯機器５０の２次アンテナ５２との間で電磁誘導、電磁結合又は電磁波による作用が生じ、この電磁的な作用により充電装置１０から携帯機器５０への送電と、両機器間での情報の伝送（通信）が非接触で行われるようになっている。
【００３３】
充電システム１において、充電装置１０は、制御回路１１と、変調回路１２と、１次アンテナ１３と、受信回路１４と、表示回路１５と、発音回路１６と、を備えている。
【００３４】
制御回路１１は、充電装置１０の動作を統括的に制御するマイコンやＣＰＵ等の制御手段であって、発振回路１１１、計時回路１１２、記憶回路１１３を備えている。
【００３５】
ここで、発振回路１１１は、１００ＫＨｚ等の高周波電流を発生する帰還型又は弛緩型の発振回路である。計時回路１１２は、ＲＴＣ（Ｒｅａｌ  Ｔｉｍｅ  Ｃｌｏｃｋ）等の時刻を計時する電気回路である。また、記憶回路１１３は、レジスタやフラッシュＲＯＭ等の記憶手段であって、携帯機器５０から伝送されるＩＤコードと照合するための照合用ＩＤコードを予め記憶している。
【００３６】
制御回路１１は、発振回路１１１を駆動し高周波電流を発生させると、この高周波電流を変調回路１２に出力する。
【００３７】
また、制御回路１１は、計時回路１１２から現在時刻を表す時刻データを取得すると、この時刻データを変調回路１２に出力することで、当該時刻データを１次アンテナ１３が発生する交流電磁界に重畳させる。
【００３８】
また、制御回路１１は、受信回路１４から入力される後述する電気信号から、当該電気信号に重畳された各種のデータを重畳方式に適した復調方式で復元する。具体的に、制御回路１１は、電気信号から携帯機器５０のＩＤコードを復元すると、このＩＤコードと記憶回路１１３に記憶された照合用ＩＤコードとを照合することで、携帯機器５０の認証を行う。また、制御回路１１は、両ＩＤコードの一致により送電先の携帯機器５０を適正と判断すると、発振回路１１１を連続的に駆動又は駆動量を上昇させることで、送電モードへと移行する。ここで、駆動量とは、単位時間あたりに発振回路１１１から出力される高周波電流の電流量を意味している。
【００３９】
また、制御回路１１は、電気信号に重畳された充電満了信号を復元すると、この充電満了信号をトリガとして、発振回路１１１の駆動を停止又は駆動量を低下させることで、省電力モードへと移行する。
【００４０】
変調回路１２は、発振回路１１１から入力される高周波電流を変調し、制御回路１１から入力される時刻データ等の各種ディジタルデータを、１次アンテナ１３が発生する交流電磁界に重畳させる。
【００４１】
ここで、ディジタルデータの交流電磁界への重畳方法は、公知の技術を用いることが可能である。例えば、ＦＳＫ（Frequency  Shift  Keying）やＰＳＫ（Phase  Shift  Keying）を用い、ディジタルデータの“１”及び“０”のデータに応じて交流電磁界の周波数若しくは位相を変化させることでディジタルデータを重畳させる態様としてもよい。また、ＡＳＫ（Amplitude  Shift  Keying）やＯＯＫ（On-Off-Keying）を用い、ディジタルデータの“１”及び“０”を、交流電磁界の波形の変化で表すことでディジタルデータを重畳させる態様としてもよい。さらには、これらの組み合わせやＢＰＳＫ（Binary  Phase  Shift  Keying）やＱＢＰＳＫ（Quadrature  Binary  Phase  Shift  Keying）等、他の方法を用いた態様としてもよい。
【００４２】
１次アンテナ１３は、フェライトコアに巻き線を施したコイル等により構成され、変調回路１２で変調された高周波電流の入力により交流電磁界を発生することで、携帯機器５０の２次アンテナ５２に交流電磁界（誘導起電力）を誘起する。また、１次アンテナ１３は、２次アンテナ５２に発生する交流電磁界を検出し、当該交流電磁界に応じた誘導起電力を発生する。
【００４３】
受信回路１４は、２次アンテナ５２に発生した交流電磁界の作用により、１次アンテナ１３に発生する交流の誘導起電力を電気信号として制御回路１１に出力する。
【００４４】
表示回路１５は、ＬＣＤ（Liquid Crystal Display）等の表示素子を備え、制御回路１１の制御に応じて各種の情報を表示する。また、発音回路１６は、音声の出力が可能な人工音声装置や電子音の出力が可能な音響出力装置を備え（何れも図示せず）、制御回路１１の制御に応じて音声又は電子音の鳴動を行う。
【００４５】
一方、携帯機器５０は、受信回路５１と、２次アンテナ５２と、制御回路５３と、蓄電回路５４と、変調回路５５と、表示回路５６と、発音回路５７と、を備えている。
【００４６】
受信回路５１は、１次アンテナ１３に発生した交流電磁界の作用により、２次アンテナ５２に発生する交流の誘導起電力を直流の電力（充電電力）に変換し、制御回路５３に出力するとともに、当該誘導起電力を電気信号として制御回路５３に出力する。
【００４７】
ここで２次アンテナ５２は、１次アンテナ１３と同様フェライトコアに巻き線を施したコイル等により構成され、１次アンテナ１３に発生した交流電磁界を検出し、当該交流電磁界に応じた誘導起電力を発生する。また、２次アンテナ５２は、変調回路５５により変調された交流電磁界を発生することで、充電装置１０の１次アンテナ１３に交流電磁界を誘起する。
【００４８】
制御回路５３は、携帯機器５０の動作を統括的に制御するマイコンやＣＰＵ等の制御手段であって、計時回路５３１、記憶回路５３２を備えている。ここで、計時回路５３１は、ＲＴＣ等の時刻を計時する回路である。また、記憶回路５３２は、レジスタやフラッシュＲＯＭ等の記憶手段であって、携帯機器５０の識別情報として自己の携帯機器５０に固有のＩＤコードを予め記憶している。
【００４９】
制御回路５３は、記憶回路５３２に記憶されたＩＤコードを変調回路５５に出力することで、当該変調回路５５を通じて自己の装置のＩＤコードを充電装置１０に伝送する。
【００５０】
制御回路５３は、受信回路５１から出力される交流電磁界の電気信号に重畳されたディジタルデータを重畳方式に適した復調方式で復元する。具体的に制御回路５３は、交流電磁界から時刻データを復元した場合、復元した時刻データに基づいて計時回路５３１が計時する時刻を修正する。
【００５１】
また、制御回路５３は、受信回路５１により変換された充電電力を蓄電回路５４の蓄電素子５４１に供給することで、蓄電回路５４を充電する。
【００５２】
ここで、蓄電回路５４は、蓄電素子５４１と、スイッチ回路５４２と、充電状態検出回路５４３と、を備え、制御回路５３から供給される電力は蓄電素子５４１に蓄電させるようになっている。
【００５３】
蓄電素子５４１は、コンデンサや２次電池等の蓄電器や蓄電池であって、制御回路５３から供給される電力を蓄電するとともに、図示しない電力供給線を介して、制御回路５３や表示回路５６、発音回路５７に電力を供給する。
【００５４】
スイッチ回路５４２は、充電状態検出回路５４３の制御により、蓄電素子５４１と蓄電回路５４との電気的な接続をオン状態（導通状態）とオフ状態（不導通状態）とに切り替える。なお、デフォルトの状態はオン状態であるものとする。
【００５５】
充電状態検出回路５４３は、蓄電素子５４１の蓄電量を検出し、当該蓄電量が所定量を上回ったと判定した場合に、スイッチ回路５４２をオフ状態にして蓄電素子５４１を蓄電回路５４から切り離すとともに、充電満了信号を制御回路５３に出力する。ここで、所定量とは、例えば、８５％の蓄電量や９５％の蓄電量等、任意の値を設定できるものとする。
【００５６】
制御回路５３は、充電状態検出回路５４３から充電満了信号が入力されると、この充電満了信号を変調回路５５に出力することで当該充電満了信号を交流電磁界に重畳させる。
【００５７】
変調回路５５は、２次アンテナ５２の交流電流磁界を変調することで、制御回路５３から入力された充電満了信号等のディジタルデータを当該交流電流磁界に重畳させ、１次アンテナ１３に伝送する。
【００５８】
表示回路５６は、図示しないＬＣＤ等の表示素子を備え、制御回路５３の制御に応じて各種の情報を表示する。また、発音回路５７は、音声の出力が可能な人工音声装置や電子音の出力が可能な音響出力装置を備え（何れも図示せず）、制御回路５３の制御に応じて音声又は電子音の鳴動を行う。
【００５９】
次に、図２を参照して、充電システム１の動作を説明する。図２は、充電装置１０と携帯機器５０とで行われる充電処理の手順を示したフローチャートである。なお、本処理において、ステップＳ１１〜Ｓ２１は充電装置１０が行う処理を示しており、ステップＳ３１〜Ｓ３７は携帯機器５０が行う処理を示している。
【００６０】
まず、充電装置１０の図示しない電源プラグが商用電源等のＡＣ電源に接続され、図示しない電源スイッチのオンにより充電装置１０に電力が供給されると（ステップＳ１１）、制御回路１１は、計時回路１１２で計時された現在時刻を表示回路１５に表示させるとともに、充電装置１０の各部の初期化を行う（ステップＳ１２）。
【００６１】
続いて、制御回路１１は、発振回路１１１を所定周期毎にパルス的に駆動、即ち省電力モードで駆動することで、変調回路１２を介し１次アンテナ１３から交流電磁界を断続的に発生させる（ステップＳ１３）。
【００６２】
一方、携帯機器５０が、充電装置１０の機器配置面Ａ１に配置され、２次アンテナ５２に誘起された誘導起電力が携帯機器５０の各部に供給されると（ステップＳ３１）、制御回路５３は記憶回路５３２に記憶されたＩＤコードを、変調回路５５を介し交流電磁界に重畳した状態で充電装置１０に伝送する（ステップＳ３２）。
【００６３】
充電装置１０では、携帯機器５０から伝送された交流電磁界が１次アンテナ１３及び受信回路１４を経由して制御回路１１に入力されると、制御回路１１は、重畳方式に対応する復調方式で復元することでＩＤコードを復元する（ステップＳ１４）。
【００６４】
続いて、制御回路１１は、記憶回路１１３に記憶した照合用ＩＤコードを読み出し（ステップＳ１５）、この照合用ＩＤコードとステップＳ２３で復元したＩＤコードとを照合し、両ＩＤコードが一致するか否かを判定する（ステップＳ１６）。
【００６５】
ステップＳ１６において、両ＩＤコードが一致しないと判定した場合（ステップＳ１６；Ｎｏ）、制御回路１１は、認証エラーを示す情報（例えば、“対象の機器ではありません”、“間違った機器です”等）を表示回路１５に表示させるとともに、発音回路１６からは一定周期で音声又は電子音の鳴動させることでユーザの注意を喚起し（ステップＳ１７）、ステップＳ１３の処理へと再び戻る。なお、機器配置面Ａ１から携帯機器５０が取り除かれた場合には、制御回路１１は、表示回路１５の表示及び発音回路１６の鳴動を停止させるものとする。
【００６６】
また、ステップＳ１６において、両ＩＤコードが一致したと判定した場合には（ステップＳ１６；Ｙｅｓ）、制御回路１１は、発振回路１１１を連続的に駆動、即ち送電モードで駆動し、変調回路１２を介して１次アンテナ１３から交流電磁界を連続的に発生させる（ステップＳ１８）。
【００６７】
次いで、制御回路１１は、計時回路１１２から取得した時刻データを、変調回路５５を介して交流電磁界に重畳することで携帯機器５０に伝送する（ステップＳ１９）。なお、時刻データの伝送回数や伝送期間は特に問わないものとする。
【００６８】
このように、携帯機器５０のＩＤコードが照合用ＩＤコードと一致した場合にのみ、充電電力の送電と時刻データの伝送とを行うことで、適正な携帯機器５０が配置された場合にのみ、充電電力の供給と時刻データの伝送とを行うことができるため、安全性を向上させることができる。
【００６９】
一方、携帯機器５０では、２次アンテナ５２に誘起される交流の誘導起電力が、受信回路１４により直流の電力（充電電力）に変換されると、制御回路５３は、この充電電力を蓄電回路５４に供給し蓄電素子５４１の充電を行う（ステップＳ３３）。また、制御回路５３は、２次アンテナ５２に発生した交流電磁界の電気信号を重畳方式に対応する復調方式で復元することで時刻データを復元する（ステップＳ３４）。
【００７０】
続いて、制御回路５３は、計時回路５３１が計時する時刻をステップＳ２４で復元した時刻データに同期させることで時刻の修正を行った後、この計時回路５３１により計時される時刻を表示回路５６に表示させる（ステップＳ３５）。
【００７１】
次いで、制御回路５３は、蓄電回路５４の充電状態検出回路５４３から充電満了信号が入力されたか否かを判定し、充電満了信号が入力されるまで蓄電素子５４１の充電を継続する（ステップＳ３６；Ｎｏ）。
【００７２】
ステップＳ３６において、充電状態検出回路５４３から充電満了信号が入力されたと判定すると（ステップＳ３６；Ｙｅｓ）、制御回路５３は、この充電満了信号を、変調回路５５を介し交流電磁界に重畳した状態で充電装置１０に伝送した後（ステップＳ３７）、携帯機器５０側の処理を終了する。このとき充電状態検出回路５４３により、スイッチ回路５４２がオフ状態に制御されるため、制御回路５３から蓄電素子５４１への充電は停止することになる。なお、ステップＳ３７の後、充電が完了した旨の情報を表示回路５６に表示させるとともに、発音回路５７を鳴動させる態様としてもよい。
【００７３】
一方、充電装置１０では、携帯機器５０から伝送された交流電磁界が１次アンテナ１３及び受信回路１４を経由し電気信号として制御回路１１に入力されると、制御回路１１は、重畳方式に対応する復調方式で充電満了信号を復元する（ステップＳ２０）。
【００７４】
続いて、制御回路１１は、ステップＳ２０で復元したデータが充電満了信号であることを確認すると、この充電満了信号をトリガとして、充電が完了した旨の情報（例えば、“充電が完了しました”等）を表示回路１５に表示させるとともに、発音回路１６から一定周期で音声又は電子音を鳴動させ（ステップＳ２１）、ステップＳ１３の処理へと再び戻る。
【００７５】
この状態で携帯機器５０が機器配置面Ａ１から離脱されると、充電装置１０は、ステップＳ１３の処理を繰り返し実行することになり、次に携帯機器５０が機器配置面Ａ１に配置されるまで待機することになる。
【００７６】
以上のように、本実施形態によれば、充電装置１０が発生する交流電磁界により生じる誘導起電力を、充電電力として蓄電素子５４１に供給を行うとともに、当該交流電磁界に重畳された時刻データに基づいて携帯機器５０で計時される時刻を修正する。これにより、蓄電素子５４１の充電と時刻データの伝送とを同時に行うことが可能であるため、充電装置１０と携帯機器５０間の時刻同期を効率的に行うことができる。
【００７７】
また、蓄電素子５４１の蓄電量が所定量を上回った場合、当該蓄電素子５４１に供給される充電電力を停止する。これにより、蓄電素子５４１の蓄電量に応じて電力伝送の停止をすることが可能であるため、過充電による劣化やトラブルを防止することができるとともに、蓄電素子５４１にかかる負荷を低減させることができる。また、蓄電素子５４１の蓄電量が所定量を上回った場合に、発振回路１１１の駆動を停止又は駆動量を低下させることで、不要な電力消費を抑えることが可能となり、充電装置１０を効率的に動作させることができる。
【００７８】
なお、本実施形態では、商用電源等のＡＣ電源から供給される電力を充電装置１０の駆動電力としたが、駆動電力の態様はこの例に限らないものとする。例えば、充電装置１０をＵＳＢ（Universal  Serial  Bus）やＩＥＥＥ１３９４等の接続ケーブルを介し、ＰＣ（Personal  Computer）等の情報機器と接続可能な構成とした場合には、この接続ケーブルを通じて情報機器から供給されるバスパワー電力を駆動電力として用いる態様としてもよい。
【００７９】
また、充電装置１０をＥｔｈｅｒｎｅｔ（登録商標）規格に準拠したカテゴリ５等のＵＴＰケーブル介し、情報機器と接続可能な構成とした場合には、ＰｏＥ（Power  over  Ethernet（登録商標））の技術によりＵＴＰケーブルを通じて情報機器から供給される電力を駆動電力として用いる態様としてもよい。
【００８０】
［第２の実施形態］
上述した第１の実施形態では、充電装置１０の電源オンとともに、交流電磁界を発生させる態様を説明した。本実施形態では、携帯機器５０の設置を検出する検出機構を機器配置面Ａ１面に備えることで、この検出機構により携帯機器５０の配置が検出された際に充電装置１０の交流電磁界を発生するよう構成した充電装置１０について説明する。なお、上述した第１の実施形態と同様の構成については、同一の符号を付与しその説明を省略する。
【００８１】
図３は、本実施形態の充電システム２を示した図である。図３に示したように、充電システム２は、充電装置２０と、携帯機器５０と、を有している。
【００８２】
充電装置２０は、制御回路２１と、変調回路１２と、１次アンテナ１３と、受信回路１４と、表示回路１５と、発音回路１６と、機械式スイッチ２２と、を備えている。
【００８３】
制御回路２１は、上述した制御回路１１と同様の機能を有し、充電装置２０の動作を統括的に制御する制御手段であって、発振回路１１１と、計時回路１１２と、記憶回路１１３と、機器検出回路２１１と、を備えている。
【００８４】
機器検出回路２１１は、機械式スイッチ２２から入力される指示信号に基づいて、機器配置面Ａ１に携帯機器５０が配置されたことを検出する回路である。ここで、機械式スイッチ２２は、携帯機器５０を検出するための検出機構であって、充電装置１０の機器配置面Ａ１に設けられている。また、機器配置面Ａ１に携帯機器５０が配置されると、当該携帯機器５０の押圧により機械式スイッチ２２が押下されようになっており、機械式スイッチ２２は押下状態にあることを指示する指示信号を機器検出回路２１１に出力する。
【００８５】
制御回路２１は、機械式スイッチ２２からの指示信号により、機器配置面Ａ１に携帯機器５０が配置されたことを機器検出回路２１１が検出すると、この検出結果に応じて発振回路１１１の駆動を開始する。また、携帯機器５０の機器配置面Ａ１からの離脱により、機械式スイッチ２２の押下状態が解除されたことを機器検出回路２１１が検出すると、この検出結果に応じて発振回路１１１の駆動を停止する。
【００８６】
次に、図４を参照して、充電システム２の動作を説明する。図４は、充電装置２０と携帯機器５０とで行われる充電処理の手順を示したフローチャートである。なお、本処理において、ステップＳ４１〜Ｓ５３は充電装置２０が行う処理を示しており、ステップＳ６１〜Ｓ６７は携帯機器５０が行う処理を示している。
【００８７】
まず、充電装置２０の図示しない電源プラグが商用電源等のＡＣ電源に接続され、図示しない電源スイッチのオンにより充電装置２０に電力が供給されると（ステップＳ４１）、制御回路２１は、計時回路１１２で計時された現在時刻を表示回路１５に表示させるとともに、充電装置２０の各部の初期化を行う（ステップＳ４２）。
【００８８】
続いて、制御回路２１は、機器検出回路２１１の検出結果に基づいて、携帯機器５０が機器配置面Ａ１に配置されたか否かを判定する（ステップＳ４３）。ここで、携帯機器５０の配置が検出されないと判定した場合（ステップＳ４３；Ｎｏ）、制御回路２１は、発振回路１１１の駆動を停止し（ステップＳ４４）、携帯機器５０の配置が検出されるまで待機を行う。
【００８９】
ステップＳ４３において、携帯機器５０の配置が検出されないと判定した場合には（ステップＳ４３；Ｙｅｓ）、制御回路２１は、発振回路１１１を所定周期毎にパルス的に駆動、即ち省電力モードで駆動することで、変調回路１２を介し１次アンテナ１３から交流電磁界を断続的に発生させる（ステップＳ４５）。
【００９０】
続く、ステップＳ４６〜Ｓ５３の処理は、図２で説明したＳ１４〜Ｓ２１の処理と同様であるため、その説明は省略する。なお、本処理では、ステップＳ４９の処理の後、ステップＳ４３の処理に再び戻るものとする。また、携帯機器５０により実行されるステップＳ６１〜Ｓ６７の処理は、図２で説明したステップＳ３１〜Ｓ３７の処理と同様であるため、その説明は省略する。
【００９１】
この状態で携帯機器５０が機器配置面Ａ１から離脱されると、充電装置２０は、ステップＳ４３；Ｎｏ→ステップＳ４４の処理を繰り返し実行することになり、次に携帯機器５０が機器配置面Ａ１に配置されるまで、発振回路１１１を停止した状態で待機することになる。
【００９２】
以上のように、本実施形態によれば、充電装置２０が発生する交流電磁界により生じた誘導起電力を充電電力として蓄電素子５４１に供給を行うとともに、当該交流電磁界に重畳された時刻データに基づいて携帯機器５０で計時される時刻を修正する。これにより、蓄電素子５４１の充電と時刻データの伝送とを同時に行うことが可能であるため、充電装置２０と携帯機器５０間の時刻同期を効率的に行うことができる。
【００９３】
また、蓄電素子５４１の蓄電量が所定量を上回った場合、当該蓄電素子５４１に供給される充電電力を停止する。これにより、蓄電素子５４１の蓄電量に応じて電力伝送の停止をすることが可能であるため、過充電による劣化やトラブルを防止することができるとともに、蓄電素子５４１にかかる負荷を低減させることができる。また、蓄電素子５４１の蓄電量が所定量を上回った場合に、発振回路１１１の駆動を停止又は駆動量を低下させることで、不要な電力消費を抑えることが可能となり、充電装置２０を効率的に動作させることができる。
【００９４】
また、充電装置２０の上面に携帯機器５０が配置されたタイミングで発振回路１１１の駆動を開始するため、不要な電力消費を抑えることが可能となり、充電装置２０を効率的に動作させることができる。
【００９５】
なお、本実施形態では、携帯機器５０の検出機構として機械式スイッチ２２を用いた例を説明したが、他の検出機構を用いることとしてもよい。例えば、図５に示したように、機器配置面Ａ１の内側に配置した、携帯機器５０により遮光される光量の変化を検出する光センサ２３を、検出機構として用いることとしてもよい。この場合、機器検出回路２１１は、光センサ２３から入力される光量を表す信号に基づいて、機器配置面Ａ１への携帯機器５０の機器配置面Ａ１への配置を検出する。
【００９６】
また、図６に示したように、機器配置面Ａ１の上に配置したタッチセンサ２４を、検出機構として用いることとしてもよい。この場合、機器検出回路２１１は、携帯機器５０との接触時にタッチセンサ２４から入力される信号に基づいて、機器配置面Ａ１への携帯機器５０の機器配置面Ａ１への配置を検出する。
【００９７】
さらに、図７に示したように、機器配置面Ａ１内側に配置したセンシングコイル２５を検出機構として用いることとしてもよい。なお、センシングコイル２５を用いる場合には、センシングコイル２５（自己インダクタンスＬｓ）を周波数ｆ１なる共振周波数で予めドライブしておく。このとき機器配置面Ａ１に携帯機器５０が配置されると、携帯機器５０との相互誘導により、センシングコイル２５の自己インダクタンスがＬｓ’に変化し、共振周波数がｆ１’に変化するため、機器検出回路２１１は、センシングコイル２５の両端の電圧変化に基づいて携帯機器５０の配置状態を検出することができる。
【００９８】
［第３の実施形態］
上述した第１、第２の実施形態では、充電装置内部の計時回路１１２により計時される時刻データに基づいて、携帯機器５０の計時回路５３１を同期する態様を説明した。本実施形態では、充電装置外部から取得した時刻データに基づいて、携帯機器５０の計時回路５３１を同期する態様を説明する。なお、上述した第１、第２の実施形態と同様の構成については、同一の符号を付与しその説明を省略する。
【００９９】
図８は、本実施形態の充電システム３を示した図である。図８に示したように、充電システム３は、充電装置３０と、携帯機器５０と、を有している。
【０１００】
充電装置３０は、制御回路３１と、変調回路１２と、１次アンテナ１３と、受信回路１４と、表示回路１５と、発音回路１６と、機械式スイッチ２２と、外部通信回路３２と、を備えている。
【０１０１】
外部通信回路３２は、インターフェース回路３２１と、通信制御回路３２２と、を備えている。インターフェース回路３２１は、外部装置と接続するためのインターフェースである。例えば、図８に示したように、外部装置としてＰＣ等の情報機器と直接接続する場合には、ＵＳＢやＲＳ２３２Ｃ等のシリアルインターフェースや、ＳＣＳＩ（Small  Computer  System  Interface）やＩＥＥＥ１２８４等のパラレルインターフェースを用いることができる。
【０１０２】
通信制御回路３２２は、インターフェース回路３２１として用いるインターフェースに応じた通信制御を行う回路であって、通信制御回路３２２の制御により、インターフェース回路３２１を介して接続された外部装置のＲＴＣ等の計時手段（図示せず）から時刻データを取得する。なお、外部装置としてＰＣと接続を行う場合には、ＰＣが計時する時刻を標準時刻の計時を行う標準時刻サーバの時刻データに予め同期しておくことが好ましい。
【０１０３】
制御回路３１は、外部通信回路３２から取得した時刻データに、計時回路１１２が計時する時刻を同期させることで、計時回路１１２の時刻誤差を修正する。
【０１０４】
次に、図９を参照して、充電システム３の動作を説明する。図９は、充電装置３０と携帯機器５０とで行われる充電処理の手順を示したフローチャートである。本処理において、ステップＳ７１〜Ｓ８４は充電装置３０が行う処理を示しており、ステップＳ９１〜Ｓ９７は携帯機器５０が行う処理を示している。
【０１０５】
なお、充電装置３０により実行されるステップＳ７１〜Ｓ８０の処理は、図４のＳ４１〜Ｓ５０の処理と同様であるため、その説明は省略する。また、携帯機器５０により実行されるステップＳ９１〜Ｓ９７の処理は、図２のステップＳ３１〜Ｓ３７の処理と同様であるため、その説明は省略する。
【０１０６】
ステップＳ８０において、制御回路３１は、発振回路１１１を連続的に駆動し、変調回路１２を介して１次アンテナ１３から交流電磁界を連続的に発生させた後、計時回路１１２が計時する時刻を、外部通信回路３２を介して外部装置（ＰＣ）から取得した時刻データに同期させることで、時刻の修正を行う（ステップＳ８１）。
【０１０７】
続いて、制御回路３１は、外部装置（ＰＣ）の時刻データに基づいて修正した計時回路１１２が計時する時刻データを、変調回路５５を介し交流電磁界に重畳した状態で携帯機器５０に伝送する（ステップＳ８２）。
【０１０８】
また、充電装置３０では、携帯機器５０から充電満了信号が重畳された交流電磁界を１次アンテナ１３及び受信回路１４を介して受け取ると、制御回路３１は、重畳方式に対応する復調方式で充電満了信号を復元する（ステップＳ８３）。
【０１０９】
次いで、制御回路３１は、ステップＳ８３で復元した充電満了信号をトリガとし、充電が完了した旨の情報（例えば、“充電が完了しました”等）を表示回路１５に表示させるとともに、発音回路１６からは一定周期で音声又は電子音の鳴動させることでユーザの注意を喚起し（ステップＳ８４）、ステップＳ７３の処理へと再び戻る。
【０１１０】
この状態で携帯機器５０が機器配置面Ａ１から離脱されると、充電装置３０は、ステップＳ７３；Ｎｏ→ステップＳ７４の処理を繰り返し実行することになり、次に携帯機器５０が機器配置面Ａ１に配置されるまで、発振回路１１１を停止した状態で待機することになる。
【０１１１】
以上のように、本実施形態によれば、充電装置３０が発生する交流電磁界により生じた誘導起電力を充電電力として蓄電素子５４１に供給を行うとともに、当該交流電磁界に重畳された時刻データに基づいて携帯機器５０で計時される時刻を修正する。これにより、蓄電素子５４１の充電と時刻データの伝送とを同時に行うことが可能であるため、充電装置３０と携帯機器５０間の時刻同期を効率的に行うことができる。
【０１１２】
また、蓄電素子５４１の蓄電量が所定量を上回った場合、当該蓄電素子５４１に供給される充電電力を停止する。これにより、蓄電素子５４１の蓄電量に応じて電力伝送の停止をすることが可能であるため、過充電による劣化やトラブルを防止することができるとともに、蓄電素子５４１にかかる負荷を低減させることができる。また、蓄電素子５４１の蓄電量が所定量を上回った場合に、発振回路１１１の駆動を停止又は駆動量を低下させることで、不要な電力消費を抑えることが可能となり、充電装置３０を効率的に動作させることができる。
【０１１３】
また、充電装置３０の上面に携帯機器５０が配置されたタイミングで発振回路１１１の駆動を開始するため、不要な電力消費を抑えることが可能となり、充電装置３０を効率的に動作させることができる。
【０１１４】
また、外部装置（ＰＣ等）から時刻データを取得し、この時刻データに基づいて充電装置３０及び携帯機器５０の計時手段が計時する時刻を修正することができるため、より正確な時刻で充電装置３０と携帯機器５０との間の時刻同期を効率的に行うことができる。
【０１１５】
なお、本実施形態では、外部装置としてＰＣと直接接続する場合を説明したが、この例に限らないものとする。例えば、図１０に示したように、インターネットやＬＡＮ等のネットワークを介して標準時刻サーバ等の外部装置と接続する態様としてもよい。この場合、外部通信回路３２のインターフェース回路３２１として、Ｅｔｈｅｒｎｅｔ（登録商標）規格に準拠したネットワークカードや、ＩＥＥＥ８０２．１１ｂ等の無線規格に準拠したネットワークカードを用いることができる。
【０１１６】
図１０の構成の場合、接続先となる標準時刻サーバは、ＮＴＰ（Network  Time  Protocol）に準拠したＮＴＰサーバ等が挙げられる。この場合、通信制御回路３２２は、ＮＴＰに準拠した通信制御を行うものとする。
【０１１７】
また、図１１に示したように、公衆電話回線網を介してネットワーク上に存在する標準時刻サーバ等の外部装置と接続する態様としてもよい。この場合、外部通信回路３２のインターフェース回路３２１として、Ｖ．９０等の規格に準拠したモデム等を用いることができる。
【０１１８】
［第４の実施形態］
本実施形態では、より正確な時刻データを取り扱うため、充電装置内にＪＧ２ＡＳ標準電波を受信可能な電波時計回路を備えた態様について説明する。なお、上述した第１、第２の実施形態と同様の構成については、同一の符号を付与しその説明を省略する。
【０１１９】
図１２は、本実施形態の充電システム４を示した図である。図１２に示したように、充電システム４は、充電装置４０と、携帯機器５０と、を有している。
【０１２０】
充電装置４０は、制御回路４１と、変調回路１２と、１次アンテナ１３と、受信回路１４と、表示回路１５と、発音回路１６と、機械式スイッチ２２と、電波時計回路４２と、を備えている。
【０１２１】
ここで、電波時計回路４２は、放送局からＪＧ２ＡＳ標準電波により送信される電波時計用電波を時刻データとして受信する電波時計回路であって、受信した時刻データを制御回路４１に出力する。
【０１２２】
制御回路４１は、電波時計回路４２から取得した時刻データに、計時回路１１２が計時する時刻を同期させることで、計時回路１１２の時刻誤差を修正する。
【０１２３】
次に、図１３を参照して、充電システム４の動作を説明する。図１３は、充電装置４０と携帯機器５０とで行われる充電処理の手順を示したフローチャートである。本処理において、ステップＳ１０１〜Ｓ１１４は充電装置４０が行う処理を示しており、ステップＳ１２１〜Ｓ１２７は携帯機器５０が行う処理を示している。
【０１２４】
なお、充電装置４０により実行されるステップＳ１０１〜Ｓ１１０の処理は、図４のＳ４１〜Ｓ５０の処理と同様であるため、その説明は省略する。また、携帯機器５０により実行されるステップＳ１２１〜Ｓ１２７の処理は、図２のステップＳ３１〜Ｓ３７の処理と同様であるため、その説明は省略する。
【０１２５】
ステップＳ１１０において、制御回路４１は、発振回路１１１を連続的に駆動し、変調回路１２を介して１次アンテナ１３から交流電磁界を連続的に発生させた後、計時回路１１２が計時する時刻を、電波時計回路４２を介して取得した時刻データに同期させることで時刻の修正を行う（ステップＳ１１１）。
【０１２６】
続いて、制御回路４１は、電波時計回路４２の時刻データに基づいて修正した計時回路１１２が計時する時刻データを、変調回路５５を介し交流電磁界に重畳した状態で携帯機器５０に伝送する（ステップＳ１１２）。
【０１２７】
充電装置４０では、携帯機器５０から充電満了信号が重畳された交流電磁界を１次アンテナ１３及び受信回路１４を介して受け取ると、制御回路１１は、重畳方式に対応する復調方式で充電満了信号を復元する（ステップＳ１１３）。
【０１２８】
次いで、制御回路４１は、ステップＳ１１３で復元した充電満了信号をトリガとし、充電が完了した旨の情報（例えば、“充電が完了しました”等）を表示回路１５に表示させるとともに、発音回路１６からは一定周期で音声又は電子音の鳴動させることでユーザの注意を喚起し（ステップＳ１１４）、ステップＳ１０３の処理へと再び戻る。
【０１２９】
この状態で携帯機器５０が機器配置面Ａ１から離脱されると、充電装置４０は、ステップＳ１０３；Ｎｏ→ステップＳ１０４の処理を繰り返し実行することになり、次に携帯機器５０が機器配置面Ａ１に配置されるまで、発振回路１１１を停止した状態で待機することになる。
【０１３０】
以上のように、本実施形態によれば、充電装置４０が発生する交流電磁界により生じた誘導起電力を充電電力として蓄電素子５４１に供給を行うとともに、当該交流電磁界に重畳された時刻データに基づいて携帯機器５０で計時される時刻を修正する。これにより、蓄電素子５４１の充電と時刻データの伝送とを同時に行うことが可能であるため、充電装置４０と携帯機器５０間の時刻同期を効率的に行うことができる。
【０１３１】
また、蓄電素子５４１の蓄電量が所定量を上回った場合、当該蓄電素子５４１に供給される充電電力を停止する。これにより、蓄電素子５４１の蓄電量に応じて電力伝送の停止をすることが可能であるため、過充電による劣化やトラブルを防止することができるとともに、蓄電素子５４１にかかる負荷を低減させることができる。また、蓄電素子５４１の蓄電量が所定量を上回った場合に、発振回路１１１の駆動を停止又は駆動量を低下させることで、不要な電力消費を抑えることが可能となり、充電装置４０を効率的に動作させることができる。
【０１３２】
また、充電装置４０の上面に携帯機器５０が配置されたタイミングで発振回路１１１の駆動を開始するため、不要な電力消費を抑えることが可能となり、充電装置４０を効率的に動作させることができる。
【０１３３】
また、電波時計用電波に基づいて充電装置及び携帯機器の計時手段が計時する時刻を修正することができるため、より正確な時刻で充電装置４０と携帯機器５０との間の時刻同期を効率的に行うことができる。
【０１３４】
以上、本発明にかかる第１〜第４の実施形態について説明したが、本発明はこれらに限定されるものではなく、本発明の主旨を逸脱しない範囲での種々の変更、置換、追加などが可能である。
【図面の簡単な説明】
【０１３５】
【図１】第１の実施形態にかかる充電システムの構成を示したブロック図である。
【図２】第１の実施形態にかかる充電処理の手順を示したフローチャートである。
【図３】第２の実施形態にかかる充電システムの構成を示したブロック図である。
【図４】第２の実施形態にかかる充電処理の手順を示したフローチャートである。
【図５】第２の実施形態にかかる充電システムの他の構成を示したブロック図である。
【図６】第２の実施形態にかかる充電システムの他の構成を示したブロック図である。
【図７】第２の実施形態にかかる充電システムの他の構成を示したブロック図である。
【図８】第３の実施形態にかかる充電システムの構成を示したブロック図である。
【図９】第３の実施形態にかかる充電処理の手順を示したフローチャートである。
【図１０】第３の実施形態にかかる充電システムの他の構成を示したブロック図である。
【図１１】第３の実施形態にかかる充電システムの他の構成を示したブロック図である。
【図１２】第４の実施形態にかかる充電システムの構成を示したブロック図である。
【図１３】第４の実施形態にかかる充電処理の手順を示したフローチャートである。
【符号の説明】
【０１３６】
１  充電システム
２  充電システム
３  充電システム
４  充電システム
１０  充電装置
１１  制御回路
１１１  発振回路
１１２  計時回路
１１３  記憶回路
１２  変調回路
１３  １次アンテナ
１４  受信回路
１５  表示回路
１６  発音回路
２０  充電装置
２１  制御回路
２１１  機器検出回路
２２  機械式スイッチ
２３  光センサ
２４  タッチセンサ
２５  センシングコイル
３０  充電装置
３１  制御回路
３２  外部通信回路
３２１  インターフェース回路
３２２  通信制御回路
４０  充電装置
４１  制御回路
４２  電波時計回路
５０  携帯機器
５１  受信回路
５２  ２次アンテナ
５３  制御回路
５３１  計時回路
５３２  記憶回路
５４  蓄電回路
５４１  蓄電素子
５４２  スイッチ回路
５４３  充電状態検出回路
５５  変調回路
５６  表示回路
５７  発音回路
Ａ１  機器配置面（充電装置）
Ａ２  機器裏面（携帯機器）
【図１】
2009022102.tif 000003
【図２】
2009022102.tif 000004
【図３】
2009022102.tif 000005
【図４】
2009022102.tif 000006
【図５】
2009022102.tif 000007
【図６】
2009022102.tif 000008
【図７】
2009022102.tif 000009
【図８】
2009022102.tif 000010
【図９】
2009022102.tif 000011
【図１０】
2009022102.tif 000012
【図１１】
2009022102.tif 000013
【図１２】
2009022102.tif 000014
【図１３】
2009022102.tif 000015